(57)【特許請求の範囲】
【請求項１】
双方向ディスプレイであって、
第１の面と該第１の面の裏面である第２の面とを有する、携帯可能なハウジングと、
前記ハウジング上の第１のヒンジを介して接続され、前記ハウジングの前記第１の面に対向して近接する第１の姿勢と、前記ハウジングの前記第１の面から離隔する第２の姿勢との間で前記第１のヒンジを軸として回転可能なフリップ部材と、
前記フリップ部材内に配置され、第３の面と該第３の面の裏面である第４の面とを有する透過型ディスプレイと、
前記フリップ部材が前記第１の姿勢にある際に前記透過型ディスプレイを反射モードにより参照可能とするためのリフレクターと、
前記フリップ部材の姿勢を検出するセンサーと、
前記透過型ディスプレイに表示されたキャラクタのフォーマットを、前記フリップ部材の姿勢に応じて修正するプロセッサと、
を備え、
前記リフレクターは、前記ハウジングまたは前記フリップ部材のいずれか一方と接続されており、
前記リフレクターは、前記フリップ部材が前記第１の姿勢の際に前記透過型ディスプレイの前記第４の面と前記ハウジングの前記第１の面との間に位置し、少なくとも前記フリップ部材が前記第２の姿勢の際に前記ハウジングの前記第１の面から離隔可能に構成されることを特徴とする双方向ディスプレイ。
【請求項２】
前記透過型ディスプレイは、少なくとも液晶ディスプレイまたはＬＥＤディスプレイのいずれかを備えることを特徴とする請求項１に記載の双方向ディスプレイ。
【請求項３】
前記プロセッサは、前記透過型ディスプレイが前記第１の姿勢と前記第２の姿勢との間で移動する場合に、キャラクタの表示を１８０°回転させることにより、前記透過型ディスプレイ上に表示されたキャラクタのフォーマットを修正するように構成されることを特徴とする請求項２に記載の双方向ディスプレイ。
【請求項４】
前記プロセッサは、前記透過型ディスプレイが前記第１の姿勢と前記第２の姿勢との間で移動する場合に、前記１８０°回転させたキャラクタの表示を反転させることにより、前記透過型ディスプレイ上に表示されたキャラクタのフォーマットを修正するように更に構成されることを特徴とする請求項３に記載の双方向ディスプレイ。
【請求項５】
前記透過型ディスプレイの前記第３の面に保護ウィンドウを更に備えることを特徴とする請求項２に記載の双方向ディスプレイ。
【請求項６】
前記透過型ディスプレイの前記第４の面に保護ウィンドウを更に備えることを特徴とする請求項５に記載の双方向ディスプレイ。
【請求項７】
前記透過型ディスプレイはカラーディスプレイを備えることを特徴とする請求項２に記載の双方向ディスプレイ。
【請求項８】
前記カラーディスプレイは単一色を備えることを特徴とする請求項７に記載の双方向ディスプレイ。
【請求項９】
前記カラーディスプレイは、複数の異なる色の画素要素を含むことを特徴とする請求項７に記載の双方向ディスプレイ。
【請求項１０】
前記透過型ディスプレイは異なる３色の画素要素を含み、近接する画素のセットは、異なる３色のそれぞれを含むことを特徴とする請求項９に記載の双方向ディスプレイ。
【請求項１１】
前記カラーディスプレイは、前記第１の姿勢の際の前記透過型ディスプレイの色を定義するために少なくとも一つのカラーフィルターを前記透過型ディスプレイの前面に含み、
前記第２の姿勢の際の前記透過型ディスプレイの色を定義するために少なくとも１つのカラーフィルターを前記透過型ディスプレイの裏面に含むことを特徴とする請求項７に記載の双方向ディスプレイ。
【請求項１２】
移動体端末であって、
第１の面と該第１の面の裏面である第２の面とを有する、携帯可能なハウジングと、
前記ハウジング上の第１のヒンジを介して接続され、前記ハウジングの前記第１の面に対向して近接する第１の姿勢と、前記ハウジングの前記第１の面から離隔する第２の姿勢との間で前記第１のヒンジを軸として回転可能なフリップ部材と、
前記フリップ部材内に配置され、第３の面と該第３の面の裏面である第４との面を有する透過型ディスプレイと、
前記フリップ部材が前記第１の姿勢にある際に前記透過型ディスプレイを反射モードにより参照可能とするためのリフレクターと、
前記フリップ部材の姿勢を検出するセンサーと、
前記透過型ディスプレイに表示されたキャラクタのフォーマットを、前記フリップ部材の姿勢に応じて修正するプロセッサと、
を備え、
前記リフレクターは、前記ハウジングまたは前記フリップ部材のいずれか一方と接続されており、
前記リフレクターは、前記フリップ部材が前記第１の姿勢の際に前記透過型ディスプレイの前記第４の面と前記ハウジングの前記第１の面との間に位置し、少なくとも前記フリップ部材が前記第２の姿勢の際に前記ハウジングの前記第１の面から離隔可能に構成されることを特徴とする移動体端末。
【請求項１３】
前記透過型ディスプレイは、少なくとも液晶ディスプレイまたはＬＥＤディスプレイのいずれかを備えることを特徴とする請求項１２に記載の移動体端末。
【請求項１４】
前記プロセッサは、前記透過型ディスプレイが前記第１の姿勢と前記第２の姿勢との間で移動する場合に、キャラクタの表示を１８０°回転させることにより、前記透過型ディスプレイ上に表示されたキャラクタのフォーマットを修正するように構成されることを特徴とする請求項１３に記載の移動体端末。
【請求項１５】
前記プロセッサは、前記透過型ディスプレイが前記第１の姿勢と前記第２の姿勢との間で移動する場合に、前記１８０°回転させたキャラクタの表示を反転させることにより、前記透過型ディスプレイ上に表示されたキャラクタのフォーマットを修正するように更に構成されることを特徴とする請求項１４に記載の移動体端末。
【請求項１６】
前記透過型ディスプレイの前記第３の面に保護ウィンドウを更に備えることを特徴とする請求項１３に記載の移動体端末。
【請求項１７】
前記透過型ディスプレイの前記第４の面に保護ウィンドウを更に備えることを特徴とする請求項１６に記載の移動体端末。
【請求項１８】
前記透過型ディスプレイはカラーディスプレイを備えることを特徴とする請求項１３に記載の移動体端末。
【請求項１９】
前記カラーディスプレイは、前記第１の姿勢の際の前記透過型ディスプレイの色を定義するために少なくとも一つのカラーフィルターを、前記ハウジングに対し前記透過型ディスプレイの外側に含み、前記第２の姿勢の際の前記透過型ディスプレイの色を定義するために少なくとも１つのカラーフィルターを、前記透過型ディスプレイの対向する内側に含むことを特徴とする請求項１８に記載の移動体端末。
【請求項２０】
前記移動体端末は更に、前記ハウジング内に配置された通信回路を備え、前記移動体端末は無線電話を備えることを特徴とする請求項１３に記載の移動体端末。
【請求項２１】
前記リフレクターは、前記第１のヒンジと直交する第２のヒンジを介して前記ハウジングと接続され、前記少なくとも前記第２の姿勢の際に該リフレクターが前記ハウジングの第１の面から離隔するように構成されることを特徴とする請求項１８に記載の移動体端末。
【請求項２２】
前記リフレクターは、前記第１の姿勢の際に前記リフレクターの第６の面が前記ハウジングの第１の面に重なるように構成されることを特徴とする請求項１３に記載の移動体端末。
【請求項２３】
前記ハウジングの第１の面は、前記移動体端末のキーパッドを備えることを特徴とする請求項２２に記載の移動体端末。
【請求項２４】
前記リフレクターは、前記フリップ部材の内側に前記第１のヒンジと直交する第２のヒンジを介して接続されることを特徴とする請求項１３に記載の移動体端末。
【請求項２５】
前記リフレクターを前記第２のヒンジの回りに回転させることで、前記フリップ部材に近接および離隔が可能なことを特徴とする請求項２４に記載の移動体端末。
【発明の詳細な説明】
【技術分野】
【０００１】
［発明の背景］
本発明は、無線電話機のような電子装置に関する。より詳細には、双方向ディスプレイ(two-way displays)に関する。
【０００２】
無線電話機のような個人用電子装置の製造者や設計者は、そのような装置の魅力的スタイルの特徴を維持しつつ、絶えずそのような装置の全体的な規模を減少しようとしている。そのような装置のサイズ縮小の結果の一つが、より面積の小さなユーザーディスプレイである。更に、そのような装置の多くは、装置により多くの面領域を与えるため、及び／又は、装置のユーザーインタフェースを保護するために、フリップ（flip）を含んでいる。結果として、デュアルディスプレイが提供されることとなり、第１のディスプレイはフリップが開いた状態において利用されるものであり、第２のディスプレイは、フリップが閉じられた状態において利用されるものである。代替的に、単一ディスプレイを、フリップが閉じられたときに部分的に隠されるように配置することもできる。
【０００３】
［発明の概要］
本発明の実施形態は、透過型ディスプレイ（transmissive display、以下同じ。）を含む双方向ディスプレイ（two-way displays）を提供するものである。センサーは透過型ディスプレイの方向を検出する。プロセッサは、透過型ディスプレイの方向に応じて、透過型ディスプレイ上に表示されたキャラクタのフォーマットを修正する。透過型ディスプレイは、液晶ディスプレイであっても良いし、ＬＥＤ（light emitting diode）ディスプレイであっても良い。ＬＥＤディスプレイは、ＬＥＤがマウントされる透過型基板を含んでいても良い。
【０００４】
本発明の更なる実施形態においては、透過型ディスプレイは第１の姿勢と第２の姿勢とを有する。プロセッサは、透過型ディスプレイが第１及び第２の姿勢の間で移動した場合に、第１の軸について約１８０°回転させることにより、透過型ディスプレイに表示されているキャラクタのフォーマットを修正するように構成されている。プロセッサはまた、透過型ディスプレイが第１及び第２の姿勢の間で移動した場合に、第１の軸と直交する第２の軸について約１８０°回転させることにより、透過型ディスプレイに表示されているキャラクタのフォーマットを修正するように構成されている。
【０００５】
本発明の他の実施形態では、保護ウィンドウは透過型ディスプレイの前面に設けられている。保護ウィンドウは、透過型ディスプレイの裏面にも設けられていても良い。リフレクター（reflector、以下同じ。）は、透過型ディスプレイの第１の姿勢において近傍に配置されても良い。また、ディスプレイは第１の姿勢において反射モード（reflective mode、以下同じ。）において視認可能であっても良い。
【０００６】
本発明の更なる実施形態において、透過型ディスプレイはカラーディスプレイである。カラーディスプレイは単一色のディスプレイ（a single color display）であってもよい。カラーディスプレイは、代替的に複数の異なる色の画素要素を含んでいても良い。特定の実施形態においては、透過型ディスプレイは３つの異なる色の画素要素を含み、近傍の画素セットは、それぞれ３つの異なる色を含む。更なる実施形態においては、カラーディスプレイは、第１の姿勢の際に透過型ディスプレイの色を定義するために、１以上のカラーフィルターを透過型ディスプレイの前面に含み、第２の姿勢の際に透過型ディスプレイの色を定義するために、透過型ディスプレイの裏面における１以上のカラーフィルタを含む。
【０００７】
本発明の他の実施形態では、携帯可能なハウジングを含む移動体端末が提供される。フリップ部材は、回転可能に該携帯可能なハウジングに接続される。フリップ部材は、携帯可能なハウジングに近接して位置する（閉じた）第１の姿勢と、携帯可能なハウジングから離れて位置する（開いた）第２の姿勢とを取る。透過型ディスプレイは、フリップ部材内に位置する。センサーはフリップ部材の姿勢を検知する。プロセッサは、透過型ディスプレイに表示されているキャラクタのフォーマットを、フリップ部材の姿勢に応じて修正する。透過型ディスプレイは、液晶ディスプレイ及び／又は透過型の基板上にマウントされたＬＥＤディスプレイであっても良い。
【０００８】
本発明の更なる実施形態において、移動体端末は保護ウィンドウを透過型ディスプレイの前面に有する。保護ウィンドウは、透過型ディスプレイの裏面にも設けられていても良い。リフレクターは、第１の姿勢の際に透過型ディスプレイと携帯可能なハウジングとの間に位置していても良い。また、透過型ディスプレイは、第１の姿勢の際に反射モードにおいて視認可能であっても良い。透過型ディスプレイは、第１の姿勢の際の透過型ディスプレイの色を定義するために、１以上のカラーフィルターを、携帯可能なハウジングに対して透過型ディスプレイの外側に含むカラーディスプレイであってもよいし、１以上のカラーフィルタを第２の姿勢の際の透過型ディスプレイの色を定義するために、対向する内側に有するカラーディスプレイであってもよい。特定の実施形態では、移動体端末は無線電話機であって、携帯可能なハウジング内に姿勢された通信回路を含む。
【０００９】
本発明の他の実施形態においては、双方向ディスプレイを動作させるための方法が提供される。透過型ディスプレイの姿勢が検知される。透過型ディスプレイに表示されているキャラクタのフォーマットは、透過型ディスプレイの姿勢に応じて修正される。透過型ディスプレイは、液晶ディスプレイであっても良いし、透過型の基板上にマウントされたＬＥＤディスプレイであっても良い。透過型ディスプレイは、第１の姿勢と第２の姿勢とを取ることができる。また、キャラクタのフォーマットの修正には、第１と第２の姿勢の間で透過型ディスプレイが移動した場合に第１の軸について約１８０°キャラクタを回転させることが含まれてもよい。キャラクタのフォーマットの修正には、更に、第１と第２の姿勢の間で透過型ディスプレイが移動した場合に、第１の軸と直交する第２の軸について約１８０°キャラクタを回転させることが含まれてもよい。
【００１０】
［詳細な記述］
本発明はここにおいて、本発明の実施形態を示す添付図面を参照してより完全に記述されるものである。図面において、領域や特徴の相対的な大きさは、明確化のために誇張されているかもしれない。しかしながら、本発明は数多くの異なった形態において実施可能であって、ここに述べる実施形態に限定して解釈されるべきではない。むしろ、これらの実施形態は、当業者に本発明の範囲を詳細に、完全に、且つ、十分に伝えるために提供されるものである。
【００１１】
本発明は、本発明の実施形態に対応する方法及び移動体端末又はマイクロスピーカアセンブリのフローチャート及び／又はブロック及び／又はフロー図を参照して以下に記述される。方法に関連するフローチャートの各ブロック及び、フローチャートにおけるブロックのコンビネーションは、コンピュータプログラム命令において実行することができる。これらのコンピュータプログラム命令は、汎用コンピュータ、特定目的コンピュータ、或いは、マシーンを生成するプログラム可能なデータ処理装置のプロセッサに提供されても良い。コンピュータ又は他のプログラム可能なデータ処理装置のプロセッサで実行される命令は、フローチャート及び／又はブロック及び／又はフローブロック図又はブロックで特定される機能を実行するための手段を生成する。
【００１２】
本発明の実施形態は、個人用電子装置、特に図１に示すワイヤレス移動体端末の側面を概略的に示す図を参照してここに記述される。図１は、ワイヤレス通信ネットワークで利用される典型的な移動体端末を示す。移動体端末１００は、携帯可能なハウジング１１０と、該携帯可能なハウジング１１０にヒンジ１２０により回転可能に接続されたフリップ部材１１５を含んでいる。透過型ディスプレイ１２５は、フリップ部材１１５内に配置される。
【００１３】
移動体端末１００は、図１、２Ａ、２Ｂにおいて簡略的に示され、本発明の理解を助けるものである。しかしながら、移動体端末１００は、キーボード／キーパッド、マイク、通信回路３７０（図３）のような様々な他の特徴的要素を含んでいても良いことは、理解されよう。ここで、通信回路３７０は、コントローラ／プロセッサ３１０と通信し、送受信器やメモリーを含んでいてもよい。送受信器は、典型邸に送信器回路と受信器回路とを含んでおり、それぞれ、無線周波数信号をワイヤレス通信ネットワークの基地局送受信器へ送信し、音声信号のような到来する無線周波数信号を基地局送受信器から受信する。移動体端末と基地局送受信器との間で伝送される無線周波数信号は、他のパーティや宛先との通信を確立し、維持するためのトラヒック及び制御信号（例えば入来呼のためのページング信号／メッセージ(paging signals/messages for incoming calls)）との両方を備えていても良い。コントローラ／プロセッサ３１０は、移動体端末１００の様々な機能をサポートしていても良い。
【００１４】
本発明の実施形態に対応する双方向ディスプレイを含む移動体端末１００は、図２Ａと図２Ｂの概略図を参照してここで更に記述される。図２Ｂに示されるように、フリップ部材１１５は、フリップ部材１１５が携帯可能なハウジング１１０に近接して位置する、第１の姿勢、或いは、閉じた姿勢（first or closed orientation）を取る。図２Ａに示されるように、フリップ部材は、フリップ部材１１５が携帯可能なハウジング１１０から離れて位置する、第２の姿勢、或いは、開いた姿勢（second or open orientation）を取る。このように、ディスプレイ１２５がフリップ部材１１５内に配置されることより、透過型ディスプレイ１２５は、開いた姿勢の際には、携帯可能なハウジングに対してディスプレイの内側から見られることになり、図２Ｂに示されるように閉じた姿勢の際には、携帯可能なハウジングに対してディスプレイの外側から見られることになる。
【００１５】
図２Ａには、フリップ部材１１５の姿勢を検出するセンサー１５０も示されている。本発明の実施形態に対応して、様々な異なるセンサー装置をセンサー１１５として利用してもよい。例えば、電子的或いは光学的なセンサー装置を利用することができる。その場合には、エミッタ（光源）及び検出器を、携帯可能なハウジング１１０とフリップ部材１１５内にそれぞれ配置したり、或いは、エミッタ（光源）及び検出器を、携帯可能なハウジング１１０とフリップ部材１１５のいずれかに配置し、携帯可能なハウジング１１０とフリップ部材１１５の他方に反射面を適切に配置したりすることができる。また、近接センサーや機械的なスイッチ、携帯可能なハウジング１１０に対するフリップ部材１１５の姿勢を検出するためのセンサー手段を含めて、他のタイプの検出器を利用することもできる。
【００１６】
本発明の実施形態は、図３の概略的なブロック図を参照してここで詳細に記述される。図３の実施形態に示されるように、移動体端末３００は、プロセッサ３１０、センサー回路３２０、及び、透過型ディスプレイ３３０を含む。移動体端末３００は更に、アンテナ３６０と対になる通信回路３７０を含む。プロセッサ３１０は、透過型ディスプレイ３３０の姿勢に応じて、透過型ディスプレイ３３０に表示されているキャラクタのフォーマットを修正する。センサー回路３２０は、透過型ディスプレイ３３０の姿勢を検出する。アンテナ３６０と協働する通信回路３７０は、当業者であれば理解するであろう様々なワイヤレス通信をサポートする。従って、そのような通信回路３７０の通信に関する側面を、ここで更に記述することはしない。
【００１７】
透過型ディスプレイ３３０は、液晶ディスプレイであってもよい。本発明の更なる実施形態では、透過型ディスプレイ３３０は、透過型の基板上にマウントされたＬＥＤディスプレイであっても良い。透過型ディスプレイ３３０はまた、カラーディスプレイであっても良い。カラーディスプレイは、例えば、液晶ディスプレイのための色づけされた液晶材料を利用しても良い。この材料は、単一色のディスプレイを提供するために全ての画素が１色に色づけされているか、又は、複数色のディスプレイを提供するために異なる色で色づけされている。例えば、異なる３色の画素要素（例えば、赤、緑、及び、青）を、透過型ディスプレイ３３０に利用しても良く、隣接する画素のセットは異なる３色のそれぞれを含むことができる。また、カラーフィルターを使った、従来的なカラー液晶ディスプレイを利用しても良い。両方の姿勢においてカラーディスプレイを提供するためには、１以上のカラーフィルターが、第１の姿勢の際のディスプレイの色を定義するために透過型ディスプレイの前面（外側）、及び、第２の姿勢の際のディスプレイの色を定義するために透過型ディスプレイの裏面（内側）の両方に提供されてもよい。このように、適切なカラーフィルターを利用した場合であっても、ディスプレイは透過可能であり、両面から参照することが可能となる。本発明の様々な実施形態において、バックライトは、ディスプレイの１又は両方の姿勢において提供されても良い。
【００１８】
プロセッサ３１０は、透過型ディスプレイが第１と第２の姿勢の間を移動する場合に、第１の軸について約１８０°回転させることにより、透過型ディスプレイ３３０上に表示されているキャラクタのフォーマットを修正するように構成されても良い。プロセッサ３１０は更に、透過型ディスプレイが第１と第２の姿勢の間を移動する場合に、第１の軸と直交する第２の軸について約１８０°回転させることにより、透過型ディスプレイ３３０上に表示されているキャラクタのフォーマットを修正するように構成されても良い。そのような実施形態は、図２Ａ及び図２Ｂに示される。ある軸について表示されているキャラクタを回転させることにより、フリップ部材１１５は図２Ａ及び図２Ｂに示される姿勢の間で移動し、両方の姿勢において同一の画面が表示されているとユーザーに予測させるように、キャラクタは表示される。第２の、直交する軸についての更なる回転は、フリップが移動されたときに、同一の画面を参照しつつ、電話機の方向を回転させることを可能とする。このように、ユーザーが見た場合のディスプレイの左から右へ、下から上へという従来のキャラクタの表示を、両方の姿勢において維持してもよい。グラフィカル・キャラクタのようなテキスト以外のキャラクタについても、本発明に対応して同様の修正を施しても良い。更に、図２Ａ及び図２Ｂに示される表示の特定の修正を、本発明に対応して変更し、双方向ディスプレイを含む特定のアプリケーションに対応するように、ディスプレイの第１及び第２の姿勢において所望の表示見通しが提供されるようにしてもよい。
【００１９】
本発明の更なる実施形態について、図４に示す斜視図を参照して説明する。図４に示されるように、本発明の実施形態に対応する移動体端末４００は、携帯可能なハウジング４１０と、ヒンジ４２０、又は、携帯可能なハウジング４１０に対してフリップ部材４１５の移動を可能とする他の結合手段で回転可能に結合されたフリップ部材４１５とを含む。透過型ディスプレイ４２５は、フリップ部材４１５内に配置される。
【００２０】
保護ウィンドウ４５５は、透過型ディスプレイ４２５の前面に配置され、フリップ部材４１５の閉じた姿勢、及び、開いた姿勢の両方においてディスプレイを保護する。図４に示される実施形態において、保護ウィンドウ４６０は、透過型ディスプレイ４２５の裏面に配置され、透過型ディスプレイ４２５を更に保護している。
【００２１】
図４に示す実施形態では更に、フリップ部材４１５と携帯可能なハウジング４１０との間で、フリップ部材４１５が閉じた姿勢において透過型ディスプレイ４２５に近接するように位置する、リフレクター４６５が示されている。リフレクター４６５は、フリップ部材４１５が閉じた姿勢にある場合に、反射モードにおいて透過型ディスプレイ４２５を見ることを容易にすることができる。キーパッドのような移動体端末４００の他の特徴は、携帯可能なハウジング４１０の面上に配置されても良い。従って、リフレクター４６５は、図４に示されるように、携帯可能なハウジング４１０の近接面から移動可能となっている。特に、図４に示すように、リフレクター４６５は、ヒンジ４７０、或いは、リフレクター４６５を携帯可能なハウジング４１０の面から離れるように移動させるための接続手段により、回転可能に携帯可能なハウジング４１０に接続される。リフレクター４６５はまた、異なる方向に回転することにより移動可能であっても良いし、或いは、ハウジング４１０から切り離すことにより移動可能であっても良いことは理解されるべきである。更に、リフレクター４６５は、キーパッドや携帯可能なハウジング４１０の表面に現れる他の特徴と一体化され、取り外し可能なリフレクター４６５としなくてもそれらの操作が可能なように設計されても良い。更に、リフレクター４６５は、携帯可能なハウジング４１０側ではなく、フリップ部材４１５の内側において同じようにして関連づけられても良い。
【００２２】
移動体端末１００、３００、４００の、透過型ディスプレイ１２５、３３０、４２５以外の上述の構成要素は、従来の多くの移動体端末に含まれていてもよく、それらの機能は一般には当業者に知られているものである。ここで利用されるような“移動体端末”との語句は、マルチライン・ディスプレイを有する、或いは有しない携帯無線電話機（cellular radiotelephone）、データ処理、ファクシミリ及びデータ通信の機能と携帯無線電話機とが結合したものであっても良いところの個人用通信システム（Personal Communications System:PCS）端末、無線電話機、ページャー、インターネット／イントラネット接続、ウェブブラウザ、オーガナイザー、カレンダー及び／又はＧＰＳレシーバーを含むことのできるＰＤＡ（Personal Data Assistant）、及び、無線電話機用の送受信器を有していても良いところの従来のラップトップ及び／又はパームトップ型の携帯可能なコンピュータ、或いは、ディスプレイを利用する他の携帯可能な装置が含まれてもよいことは更に理解されるべきである。
【００２３】
本発明は、移動体端末１００、３００、４００のような通信装置或いはシステムにおいて実現されても良いが、本発明はそのような装置及び／又はシステムに限定されるものではない。その代わりに、本発明は、ディスプレイを利用するいかなる装置において実現されても良い。
【００２４】
図５は、本発明の実施形態に対応する双方向ディスプレイの操作のための方法を示すフローチャートである。図５のフローチャートに示されるように、動作は、ブロック５００における、移動体端末のフリップ部材内に配置されたディスプレイのような透過型ディスプレイの姿勢の検出から開始される。もし、当該ディスプレイの姿勢が変化しなければ（ブロック５１０）、ブロック５１５及びブロック５２０における修正動作はバイパスされる。しかしながら、もしディスプレイの姿勢が変化した場合（ブロック５１０）、透過型ディスプレイ上に表示されているキャラクタのフォーマットは、透過型ディスプレイの姿勢に応じて修正される。特定の実施形態に対応するキャラクタの修正動作は、ブロック５１５及びブロック５２０を参照して説明される。図５に示されるように、修正動作には、キャラクタを第１の軸について１８０°回転させること（ブロック５１５）と、第１の軸に直交する第２の軸についてキャラクタを約１８０°更に回転させることとを含む。ブロック５１５及びブロック５２０に記載されるような修正動作は、双方向ディスプレイを利用して、透過型ディスプレイの前面或いは裏面のいずれから見た場合でも、ディスプレイ上に実質的に同一の表示が行われる予測を与えることが求められる移動体端末のフリップ部材のようなアプリケーションにおいて、特に利点がある。
【００２５】
上記のように、移動体端末のフリップ部材のようなアプリケーションにおいて、本発明の双方向ディスプレイは、フリップ部材が開かれたときにフリップの内側において見ることができ、フリップ部材が閉じられたときにフリップの外側から見ることのできる単一ディスプレイを提供することができる。液晶ディスプレイのような透過型ディスプレイは、フリップ部材の姿勢の検出と、フリップ部材の姿勢に応じてディスプレイを再設定する（ソフトウェア及び／又はハードウェアベースの）適切なプロセッサ動作との組合せに応じて両面から見ることができる。このように、単一ドライバーを利用する単一ディスプレイを、二つの異なる表示姿勢を提供するために利用することができる。
【００２６】
図３及び図５のフローチャート、フロー図及びブロック図は、双方向ディスプレイ動作のための方法を実施するための構造、機能及び動作を示すものである。この点において、フローチャート、ブロック図における各ブロックは、特定の論理行為（specified logical act(s)）を実行させるための１以上の実行可能な命令備える、モジュール、セグメント、コードの一部によって表されても良い。いくつかの代替的な実施において、ブロックに示された動作が図に示される順序とは無関係に生じてもよい点に注意すべきである。例えば、連続する２つのブロックは、実際には、実質的に同時に実行されても良く、また、包含される機能に応じて逆順序においてブロックが実行されても良い。
【００２７】
以上の本発明の説明は、限定的なものとして解釈されるべきではない。本発明の幾つかの典型的な実施形態を記載したが、本発明の新規の示唆や利点から実質的に逸脱することなく、典型的な実施形態に対する数多くの修正をが可能である点は、当業者であれば直ちに理解するところであろう。従って、そのような修正の全ては、特許請求の範囲において定義される本発明の技術的範囲に含まれるものとして意図されているものである。特許請求の範囲において、ミーンズ・プラス・ファンクション条項は、記載した機能を実行するような、ここに記述される構造、及び、構造的な均等物だけでなく、均等な構造をカバーするものとして意図されたものである。それ故に、上記の記載は本発明の例示的なものとして理解されるべきであり、開示された特定の実施形態に限定するものとして解釈されるべきではない。また、開示された実施形態の修正は、他の実施形態と同様に、特許請求の範囲に記載の発明の技術範囲内に含まれることが意図されているものである。本発明は、特許請求の範囲の記載によって定義され、該記載の均等物もそこに含まれるものである。
【図面の簡単な説明】
【００２８】
【図１】本発明の実施形態に対応する移動体端末を概略的に示す側面図である。
【図２Ａ】本発明の実施形態に対応する、開いた姿勢におけるフリップ部材を有する図１の移動端末の概略図である。
【図２Ｂ】本発明の実施形態に対応する、閉じた姿勢におけるフリップ部材を有する図１の移動端末の概略図である。
【図３】本発明の実施形態に対応する移動体端末を概略的に示すブロック図である。
【図４】本発明の実施形態に対応する移動体端末を示す斜視図である。
【図５】本発明の実施形態に対応する双方向ディスプレイの動作を示すフローチャートである。
【図１】
0004594096.tif 000002
【図２Ａ】
0004594096.tif 000003
【図２Ｂ】
0004594096.tif 000004
【図３】
0004594096.tif 000005
【図４】
0004594096.tif 000006
【図５】
0004594096.tif 000007